(57)【特許請求の範囲】
【請求項１】
複数の炎口が環状に列設されたガスバーナーを備えたコンロ器体に、該ガスバーナーを臨む開口を有するフラットな金属板製の天板を装着して構成したガスコンロにおいて、前記開口の近傍に位置して天板を下方から当接して支持する少なくとも１個の天板支持部材をコンロ器体に設け、該天板支持部材と天板とをビスによって締結したことを特徴とするガスコンロ。
【請求項２】
前記天板の開口に、外側に向かって延びる外周縁部を有する汁受皿をその外周縁部を介して吊設し、該外周縁部でビスを覆ったことを特徴とする請求項１記載のガスコンロ。
【請求項３】
前記天板支持部材は、左右異なる方向の平坦部を上下端に設けた断面略Ｚ字の形状を有し、上端の平坦部で天板との締結を行うと共に、下端の平坦部をコンロ器体の底面に固着したものであることを特徴とする請求項１または請求項２記載のガスコンロ。
【請求項４】
前記天板の開口の周縁を全周に亘って上方に曲げて壁部を形成し、該壁部で汁受皿を支持するようにしたことを特徴とする請求項１または請求項３のいずれか１項に記載のガスコンロ。
【発明の詳細な説明】
【０００１】
【発明の属する技術分野】
本発明は、フラットな天板を装着したガスコンロに関する。
【０００２】
【従来の技術】
ガスコンロは、例えば、複数の炎口が環状に列設されたガスバーナーとグリルとを装備したコンロ器体に、該ガスバーナーを臨む開口を有する天板を装着して構成される。該天板の所定の位置には、なべ等の調理器具が載置される五徳が載置される。
【０００３】
ところで、特に、システムキッチンに利用されるビルトインコンロでは、調理者に対してガスバーナーと天板との間にフラットな感覚を持たせて該ビルトインコンロのデザイン性を向上させるなどから、天板がフラットに形成されているのがよい。
【０００４】
従来の天板では撓みや歪が生じ難いガラス製のものが主流であるが、このものでは衝撃等を受けるとその表面に亀裂が生じたりまたは破損したりするという問題があった。このため、コスト面などを考慮して天板はステンレス等の金属製薄板（板厚０．８ｍｍから１．０ｍｍ程度）から天板を製作することが提案されている。この場合、天板は、ガスバーナーが臨む天板の開口に吊持される汁受皿とコンロ器体に設けた天板支持部材とで挟持させて位置ずれを生じないように、コンロ器体に装着される。
【０００５】
【発明が解決しようとする課題】
しかしながら、このものでは天板自体が直接固定されていないので、ガスバーナーを燃焼させるとその熱を受けて熱歪が生じ易い。また、板厚が小さいので五徳に重い調理器具が載置されると撓みが生じ易い。そして、天板に発生した歪や撓みが歪音または撓み音を発生させる場合があった。
【０００６】
そこで、本発明は、上記点に鑑み、金属製薄板からフラットな天板を構成した場合に、該天板に熱歪や撓みが生じ難いようにしたガスコンロを提供することを課題とするものである。
【０００７】
【課題を解決するための手段】
この課題を解決するために、本発明のガスコンロは、複数の炎口が環状に列設されたガスバーナーを備えたコンロ器体に、該ガスバーナーを臨む開口を有するフラットな金属板製の天板を装着して構成したガスコンロにおいて、前記開口の近傍に位置して天板を下方から当接して支持する少なくとも１個の天板支持部材をコンロ器体に設け、該天板支持部材と天板とをビスによって締結したことを特徴とする。
【０００８】
ここで、ビスで天板を天板支持部材に締結する際、そのビスが外部が見えたのではデザイン性が悪くなる。この場合、前記天板の開口に、外側に向かって延びる外周縁部を有する汁受皿をその外周縁部を介して吊設し、該外周縁部でビスを覆えばよい。
【０００９】
また、前記天板支持部材は、例えば、左右異なる方向の平坦部を上下端に設けた断面略Ｚ字の形状を有し、上端の平坦部で天板との締結を行うと共に、下端の平坦部をコンロ器体の底面に固着したものとすればよい。
【００１０】
さらに、前記天板の開口の周縁を全周に亘って上方に曲げて壁部を形成し、該壁部で汁受皿を支持するようにすれば、天板と汁受皿の外周縁部との間を通ってコンロ器体内へ煮汁などが侵入するのを防止するパッキンを省略でき、コストダウンを図れる。
【００１１】
【発明の実施の形態】
図１を参照して、１は、例えばシステムキッチンの厨房家具２に設置されたビルトインコンロである。該ビルトインコンロ１は、そのコンロ器体１１を、厨房家具のカウンタトップ２１の開口に吊持させて装着し、コンロ器体１１を覆うように天板３を装着して設置されている。そして、天板３上の所定の位置には、なべ等の調理器具が載置される五徳４が設置されている。
【００１２】
コンロ器体１１には、天板３の所定の位置に設けた円形開口を臨むように３個のガスバーナー１２が設けられている。該ガスバーナー１２は、例えば外周に複数の炎口が列設された外炎式バーナーである。コンロ器体１１の正面側両端にはまた、操作パネル１３が設けられ、該操作パネル１３には各ガスバーナー１２の作動を制御する点火操作ボタン１２ａ及び火力調節ボタン１２ｂが配設されている。両操作パネル１３の間に位置してコンロ器体１１にはグリル５が組み込まれ、該グリル５の排気筒は天板３の後側に配設された排気口３１に連通している。
【００１３】
図２及び図３を参照して、天板３の円形開口の周縁部には汁受皿６が着脱自在に吊設されている。汁受皿６は、耐熱性の材料から形成され、その上端に外方へ延出した環状の外周縁部６１を有する。そして、円形開口の周囲に、外周縁部６１と協働して煮汁などのコンロ器体１１内部への侵入を防止する環状のパッキン６２を設置し、外周縁部６１をパッキン６２の上面に全体に亘って接するようにして汁受皿６が吊設される。
【００１４】
ところで、調理者に対して該ガスバーナー１２と天板３との間にフラットな感覚を持たせて、システムキッチンの厨房家具２に装着したビルトインコンロ１のデザイン性を向上させるには天板３をフラットに形成するのがよい。
【００１５】
ガラス製天板を用いると衝撃等を受けてその表面に亀裂が生じたりまたは破損したりする場合があるので、本実施の形態では、板厚１．０ｍｍのステンレス製の薄板から天板３を構成した。この場合、ガスバーナー１２からの熱で熱歪が、また、五徳４に重い調理器具を載置することで撓みが天板３に発生したのでは、その歪や撓みが歪音または撓み音を発生させる場合がある。
【００１６】
本実施の形態では、五徳４上に重量のある調理器具が載置されたとき、天板３が撓むのを防止するように、各円形開口の近傍に位置して所定の間隔を置いて２個の天板支持部材７を設けた。該天板支持部材７は、例えば、金属板を、左右異なる方向の平坦部が上下端に形成されるように断面略Ｚ字形状に成形したものであり、下端の平坦部７１はコンロ器体１１の底面に固着されている。
【００１７】
上端の平坦部７２にはねじ孔７３が設けられ、天板３の所定の位置に設けた貫通孔を介して、ビス８によって天板３と天板支持部材７とを締結している。これにより、強固な固定個所を増加させて自由に変形し得る天板３の領域を減少させることで、振動や熱が分散され天板に撓みや歪が生じ難い。また、天板３の板厚は小さいままであるので、コストダウンを図れる。
【００１８】
天板３と天板支持部材７とをビス８で締結したとき、該ビス８が外部から見えたのではデザイン性が悪くなる。このため、ビス８としてさらビスを使用して、天板３から上方に突出しないようにすると共に、天板３の円形開口に吊持された汁受皿６の外周縁部６１の下側のパッキン６２でビス８を覆った。これにより、ビス８に直接に煮汁等に触れることがないので、ビス８がさびることが回避できる。
【００１９】
尚、本実施の形態では、パッキン６２を介して汁受皿６を吊持するようにしたが、図４に示すように、前記天板３の開口の周縁を全周に亘って上方に曲げて壁部７４を形成し、該壁部７４で汁受皿６を支持するようにできる。この場合、開口の周縁をへミング加工で形成すればバリ取り等の２次加工が不要になってよい。
【００２０】
【発明の効果】
以上に説明したように、本発明によれば、金属製薄板からフラットな天板を構成しても天板に熱歪や撓みが生じ難いという効果を奏する。
【図面の簡単な説明】
【図１】ビルトインコンロの設置状態を説明する側面図
【図２】ガスバーナー近傍の部分断面図
【図３】ガスバーナー近傍の上面図
【図４】他の実施形態にかかる天板支持部材を説明する断面図
【符号の説明】
１  ガスコンロ
３  天板
４  五徳
６  汁受皿
６１  外周縁部
６２  パッキン
７  天板支持部材
８  ビス
【図１】
0003891264.tif 000002
【図２】
0003891264.tif 000003
【図３】
0003891264.tif 000004
【図４】
0003891264.tif 000005